(57)【要約】      （修正有） 【課題】部品点数が少なく、安価に制作できる。又両手を使う必要もなく、把持部材の握手部を握る片方の手で温度コントロールを簡単に操作することができ、段階的な温度変化をランプにより表示できて簡単に温度を知ることができる。【解決手段】前部を髪挟部３、後部を握手部４とする一対の把持部材２、２を設け、握手部４、４を軸５で開閉自在に連結し、両握手部４、４の軸受部６、６に備えたバネ７を常時両把持部材２、２の髪挟部３、３が互いにＶ字型に開放する方向に付勢すると共に両把持部材２、２の向かい合う髪挟部３、３内側にヒーター９、９の通電により発熱する温熱板８、８を互いに相対して装着し、両把持部材の髪挟部３、３を閉じ、上記両温熱板８の温度を段階的に切り替えコントロールするスイッチ１０と、段階的に切り替わる温度変化を表示する段階的な表示ランプ群１１とを設け、一方の把持部材２の握手部４先に配置する構成としている。【選択図】図４
2006158756.tif 000002
【特許請求の範囲】
【請求項１】
前部を髪挟部（３）、後部を握手部（４）とする一対の把持部材（２）、（２）を設け、この両把持部材（２）、（２）の握手部（４）、（４）を軸（５）で開閉自在に連結し、両握手部（４）、（４）の軸受部（６）、（６）に備えたバネ（７）を常時両把持部材（２）、（２）の髪挟部（３）、（３）が互いにＶ字型に開放する方向に付勢すると共に両把持部材（２）、（２）の向かい合う髪挟部（３）、（３）内側にヒーター（９）、（９）の通電により発熱する温熱板（８）、（８）を互いに相対して装着し、温熱板の温度をコントロールしつつ、両温熱板（３）、（３）間に髪の毛を挟み込んで、両把持部材の髪挟部（３）、（３）を閉じ、髪の毛を整えるヘアアイロン（１）に於いて、上記両温熱板（８）の温度を段階的に切り替えコントロールするスイッチ（１０）と、段階的に切り替わる温度変化を表示する段階的な表示ランプ群（１１）とを設け、スイッチ（１０）と段階的な表示ランプ群（１１）とを一方の把持部材（２）の握手部（４）先に配置することを特徴としたヘアアイロン。
【発明の詳細な説明】
【技術分野】
【０００１】
本発明は、主として美容サロン等で業務用に使用されるヘアアイロンに関するものである。
【背景技術】
【０００２】
従来、ヘアアイロンとしては、一対のグリップ（把持部材）を設け、この両グリップ（把持部材）の後部を軸で開閉自在に連結し、グリップ（把持部材）の軸受け部に備えたバネを常時グリップ（把持部材）の先端部が互いにＶ字型に開放する方向に付勢すると共に両グリップ（把持部材）の向かい合う先端部内側にヒータの通電により発熱する温熱板を互いに相対して装着する構造のヘアアイロンが特開２００４−２２３２９７号公報（特許文献１、図１参照）として存在する。
【０００３】
【特許文献１】特開２００４−２２３２９７号（図１）
【０００４】
以下、特許文献１の図１により従来のヘアアイロンについて説明する。
この特許文献１のヘアアイロンは、Ｖ字型ヘアアイロンのケース本体１の後部先端に電源コード１０を接続し、この電源コード１０の中間部に温度コントロール４を接続し、端部に電源プラグ８を取り付けている。
更に、電源プラグ８をコンセントに差し込み、片方の手でケース本体１の両グリップ（把持部材）の後部を握り、両グリップ（把持部材）の先端部の相対する両温熱板間に髪の毛を挟み込んで、両グリップ（把持部材）の先端部を閉じ、癖毛を伸ばしたり、ウェーブを直したりしつつ、もう一方の手で温度コントロール４を握り髪の毛にかかる温度を調整していた。
【発明の開示】
【発明が解決しようとする課題】
【０００５】
ところが、この種のヘアアイロンでは、温度コントロールがケース本体とは別個の装置として配置されており、構造が複雑で、しかも片方の手でケース本体を握り、髪の毛を伸ばしたり、直したりしながら、もう一方の手で温度コントロールし、両手を頻繁に使うこととなるために、もう一方の手に櫛を持ち、髪の毛を真っ直ぐに整えるということができにくく、煩わしい作業となるという問題点があった。
【０００６】
又、温度ランプはあっても温度変化を段階的に表示することがなかったたために、現在どの程度の温度か不明で、手を温熱板に近づけて大体の温度を測らなければならず、非常に煩わしい操作となるという問題点があった。
【課題を解決するための手段】
【０００７】
本発明は、前部を髪挟部３、後部を握手部４とする一対の把持部材２、２を設け、この両把持部材２、２の握手部４、４を軸５で開閉自在に連結し、両握手部４、４の軸受部６、６に備えたバネ７を常時両把持部材２、２の髪挟部３、３が互いにＶ字型に開放する方向に付勢すると共に両把持部材２、２の向かい合う髪挟部３、３内側にヒーター９、９の通電により発熱する温熱板８、８を互いに相対して装着し、温熱板の温度をコントロールしつつ、両温熱板３、３間に髪の毛を挟み込んで、両把持部材の髪挟部３、３を閉じ、髪の毛を整えるヘアアイロン１に於いて、上記両温熱板８の温度を段階的に切り替えコントロールするスイッチ１０と、段階的に切り替わる温度変化を表示する段階的な表示ランプ群１１とを設け、スイッチ１０と段階的な表示ランプ群１１とを一方の把持部材２の握手部４先に配置する構成としている。
【発明の効果】
【０００８】
本発明は、従来の問題点を解決したものであって、部品点数が少なく、安価に制作できる。又両手を使う必要もなく、把持部材の握手部を握る片方の手で温度コントロールを簡単に操作することができ、もう一方の手を自由に使うことができると共に段階的な温度変化をランプにより表示できて簡単に温度を知ることができる。
【発明を実施するための最良の形態】
【０００９】
ヘアアイロン１は、前部を髪挟部３，３、後部を握手部４，４とする上下一対の把持部材２，２と、この両握手部４，４を横に挿通して両把持部材２，２を開閉自在に連結する軸５と、両握手部４，４の軸受部６，６間に装着して、両把持部材２，２の髪挟部３，３を常時開放方向に付勢するコイル状のバネ７と、両髪挟部３，３内にそれそれ゛嵌合して互いに向かい合う温熱板８，８と、各温熱板８の裏面に当接して通電により温熱板８を加熱するヒーター９と、両温熱板８，８の温度を段階的に切り替えコントロールするスイッチ１０と、段階的に切り替わる温度変化を段階的に表示する表示ランプ群１１とから構成されている。
【００１０】
一対の把持部材２、２は、図４に示すように、それぞれ長手方向に沿って左右に二分した割型部材で形成している。
各割型部材の握手部４に相当する個所は、図４に示すように、内部中空に形成しており、この二分した割型部材の一方の握手部４に相当する個所の内部中空後方に軸受部６を設けている。
【００１１】
この二分し上下片方づつの割型部材の軸受部６、６間にコイル状のバネ７を通した後、片方の割型部材の握手部４に相当する外側より軸５を挿通し、ボルト１２、ナット１３とにて締め付け固定している。これによって一対の把持部材２，２は、図１に示すように、常時Ｖ字型に開放しており、握手部４に片方の手で握って力をこめれば、図２並びに図３に示すように、一対の把持部材２，２の髪挟部３，３間を閉じることができる。
【００１２】
上側の把持部材２の二分した割型部材の一方には、図４に示すように、後述の表示ランプ群１１を右側前面より透視可能な複数の透孔１４，１４と、その後方にスイッチ用の透孔１５とを穿設している。
１６は、複数の透孔１４，１４とスイッチ用の透孔１５とを覆う表示用シールである。
【００１３】
把持部材２の握手部４の内部中空には、外部電源を供給する電源コード１７の先端側及びコンデンサ１８、スイッチ１０の作動にて後述のヒーター９を操作するメイン基板１９並びにそれらを配線するリード線（図示せず）等を内蔵している。
【００１４】
又、握手部４の複数の透孔１４，１４及びスイッチ用の透孔１５とを有する右側壁の内側には、表示ランプ群１１及びスイッチ１０とを備えた表示用基板２０を内蔵しており、上述のメイン基板１９等とリード線（図示せず）を介して接続している。この表示用基板２０及びメイン基板１９は、マイコン制御している。
【００１５】
一対の把持部材２、２の各髪挟部３に保持される各温熱板８は、図４に示すように、上側又は下側のそれぞれ二分した割型部材間に挟まれて、わずかに向かい合う温熱板側に向けて揺動可能に保持されている。
【００１６】
各温熱板８の裏側には、図４に示すように、平板状のセラミックのヒーター９を当接している。
２１は、図４に示すように、各各髪挟部３の内側底面と温熱板８並びにヒーター９との間に介設されて温熱板８を常時向かい合う温熱板側に付勢する板バネである。
【００１７】
温熱板８の温度は、スイッチ１０の作動によって、８０度、１００度、１２０度、１４０度、１６０度と５段階に変化することができる。この温度変化は、特に限定するものではなく、８０度、１２０度、１６０度と３段階にすることも又８０度から１６０度間を区切ることなく温度変化させることもできる。
【００１８】
温度変化を表示する表示ランプ群１１は、上述の５段階の温度に伴って五色のランプにて表示している。勿論、このランプ表示も特に限定するものでなく、温度変化を３段階にすればランプ表示も３段階表示してもよい。
【００１９】
スイッチ１０は、把持部材２の握手部４の前方側壁に設けており、図３に示すように、握手部４を握った一方の手の指がタッチできるような位置に配置している。
【００２０】
以上本発明の代表的と思われる実施例について説明したが、本発明は必ずしもこれら実施例構造のみに限定されるものではなく、本発明にいう前記の構成要件を備え、かつ、本発明にいう目的を達成し、本発明にいう効果を有する範囲内において適宜改変して実施することができるものである。
【図面の簡単な説明】
【００２１】
【図１】本発明実施例の側面図。
【図２】本発明実施例の髪挟部を閉じた側面図。
【図３】本発明実施例の使用状態を示す斜視図。
【図４】本発明実施例の分解斜視図。
【符号の説明】
【００２２】
１…ヘアアイロン
２、２…把持部材
３、３…髪挟部
４、４…握手部
５…軸
６…、軸受部
７…コイル状のバネ
８、８…温熱板
９、９…ヒーター
１０…スイッチ
１１…表示用ランプ群
１２…ボルト
１３…ナット
１４、１４…複数の透孔
１５…スイッチ用の透孔
１６…表示用シール
１７…電源コード
１８…コンデンサ
１９…メイン基板
２０…表示用基板
２１…板バネ
【図１】
2006158756.tif 000003
【図２】
2006158756.tif 000004
【図３】
2006158756.tif 000005
【図４】
2006158756.tif 000006